(57)【要約】      （修正有）【課題】安価で手軽に画面の操作性向上が可能であるとともに、使い勝手の融通性に優れる画面操作用治具を提供する。【解決手段】タッチパネルの画面Ｚに対する物理的接触を介して操作するための画面操作用導電性突起部１２と、指に装着するための装着部とを有し、該画面操作用突起部１２は、装着部の表面から突起するように設けられ、画面Ｚに対する物理的接触により操作するに十分な硬さを有する、ことを特徴とする画面操作用治具１０。【選択図】図４
2013239140.tif 000002
【特許請求の範囲】
【請求項１】
タッチパネルの画面に対する物理的接触を介して操作するための画面操作用導電性突起部と、指に装着するための装着部とを有し、該画面操作用突起部は、装着部の表面から突起するように設けられ、画面に対する物理的接触により操作するに十分な硬さを有する、ことを特徴とする画面操作用治具。
【請求項２】
前記画面操作用治具は、画面操作用シールであり、前記装着部は、指に貼り付けるための貼付部を有し、該貼付部は、画面操作用突起部と反対側に設けられる、請求項１に記載の画面操作用治具。
【請求項３】
前記貼付部は、指の腹に貼り付けるのに十分な広さを有する付着面を備えたフィルム状であり、前記画面操作用突起部は、前記フィルムの前記付着面と反対側の面から突起するように設けられ、前記画面操作用突起部の突起高さおよび太さはそれぞれ、タッチパネルの画面に対する物理的接触により操作することが可能な所定高さおよび所定太さを有する、請求項２に記載の画面操作用治具。
【請求項４】
前記装着部は、指に嵌めるためのリング状本体部を有し、前記画面操作用突起部は、前記リング状本体部の外周面から突起するように設けられる、請求項１に記載の画面操作用治具。
【請求項５】
前記リング状本体部には、前記画面操作用突起部と反対側に、装飾部が設けられる、請求項１１に記載の画面操作用治具。
【請求項６】
前記貼付部は、直径５ミリないし１０ミリの円形であり、その中心部に前記画面操作用突起部が設けられる、請求項２または請求項３に記載の画面操作用治具。
【請求項７】
前記付着面は、繰り返し貼着および脱着可能なシールである、請求項３に記載の画面操作用治具。
【請求項８】
前記画面操作用突起部は、前記表面に対して直交するように設けられ、前記所定高さは、２ミリないし３ミリ、前記所定太さは、２ミリないし３ミリである、請求項２ないし請求項５のいずれか１項に記載の画面操作用治具。
【請求項９】
前記画面操作用治具は、一体成形の中実の樹脂製である、請求項２ないし請求項５のいずれか１項に記載の画面操作用治具。
【請求項１０】
前記画面操作用突起部は、ほぼ円柱状で、先端部は丸みを有する、請求項２ないし請求項５のいずれか１項に記載の画面操作用治具。
【請求項１１】
前記画面操作用突起部は、有機導電性繊維を編み込んで形成される、請求項２ないし請求項５のいずれか１項に記載の画面操作用治具。
【請求項１２】
前記画面操作用突起部は、根元に向かって太くなるようなテーパが付されている請求項１に記載の画面操作用治具。
【請求項１３】
操作すべきタッチパネルの画面を有する電子機器を、画面を上向きにして片手の手の平で支えるように持ち、その片手の親指の腹に請求項１ないし請求項１２のいずれか１項に記載の画面操作用治具を装着して、画面操作用治具の前記画面操作用突起部により片手で画面を操作することを特徴とする画面の操作方法。
【請求項１４】
画面を操作しない間、前記画面操作用シールを操作すべき画面を有する電子機器の表面に貼り付けることにより、前記画面操作用シールを保管する、請求項１３に記載の画面の操作方法。
【請求項１５】
画面を操作しない間、前記リング状本体部を操作すべき画面を有する電子機器にフックすることにより、前記画面操作用治具を保管する、請求項１３に記載の画面の操作方法。
【請求項１６】
前記画面操作用シールを親指の腹に貼り付け、あるいは前記リング状本体部を親指に嵌めるとともに、同じ手の人さし指の腹に前記画面操作用シールを貼り付け、あるいは前記リング状本体部を人さし指に嵌めることにより、画面を摘まむピンチ操作を行う、請求項１３に記載の画面の操作方法。
【請求項１７】
前記電子機器は、携帯電話および／またはスマートフォンおよび／またはタブレットである請求項１３ないし請求項１６のいずれか１項に記載の画面の操作方法。
【発明の詳細な説明】
【技術分野】
【０００１】
本発明は、画面操作用治具および画面の操作方法に関し、より詳細には画面の操作性に優れる画面操作用治具および画面の操作方法に関する。
【背景技術】
【０００２】
昨今、マンーマシンインターフェイスとして、ユーザーフレンドリーなタッチパネルが
多用されている。
タッチパネルは、画面上の表示を押すことで機器を操作する入力装置であり、表示機能と入力機能との２つの機能を具備し、コンピュータ等の外部から受信した画像情報を、たとえば液晶パネルで画面に表示するとともに、ユーザーが画面に表示された文字、記号、絵等からなる点、線、または領域に対して、指で触れて押したり、あるいはいわゆるタッチペンを用いて押圧することにより、物理的接触がなされた画面の位置を検知することにより、外部へ情報信号として出力し、それにより外部装置は、この位置情報に基づいて、ユーザが望む動作を行うようにしている。
【０００３】
タッチパネルは、種々のタイプがあるが、最近では、抵抗膜方式と、表面型と投影型とに大別される静電容量方式が、特に携帯電話、スマートフォン、タブレット等携帯用電子機器に採用されている。
抵抗膜方式の場合、画面を押さえるものは指でなくてもよいが、金属膜を２枚必要とすることから画面の透明度が必然的に低下する。
これに対して、静電容量方式の場合、このような透明度の劣化の欠点はなく、特に小型化、軽量化が必須であるスマートフォン、携帯電話、携帯情報端末において、操作部分を画面に集約可能とする観点から、この方式が主流となりつつある反面、画面を押さえるものは指や指と同等の静電的な導電性のものである必要がある。
【０００４】
この場合、画面の操作としては、画面を軽くたたいてすぐ指を離すタップ操作、指で画面を触れ続ける（押し続ける）ロングタッチ操作、画面上を指でなぞるドラッグ、あるいはフリック操作、および２本の指で画面を摘まむ（開く）ピンチ操作等がある。
このような種々の操作を指で行う場合、スマートフォン、携帯電話、携帯情報端末は、画面が小さいことから、特に指の太い男性の場合、ミスタッチにより誤操作をしたり、男性、女性を問わず、乾燥指の持ち主の場合には、画面の操作ができないこともある。
それに対して、従来、タッチパネルの画面を操作するのにいわゆるタッチペンが採用されている。
【０００５】
タッチペンは、先細の先端を具備することにより、指に比べ操作性を改善することは可能であるが、鉛筆と同じ持ち方をすることから、鉛筆より高価であり、おおがかりで指との一体感がないため熟練性を必要とするとともに、たとえば、スマートフォンを持った手の指でタッチペンを用いることは困難であり、使い勝手が悪い。さらに、タッチペンを持ったり置いたりという手間があることから、他の作業と併行してタッチパネルを操作する場合に、他の作業との連携が悪く、タッチペンを探す手間もあり、場合によりなくしたりすることもある。
【発明の開示】
【発明が解決しようとする課題】
【０００６】
以上の技術的問題点に鑑み、本発明の目的は、安価で手軽に画面の操作性向上が可能であるとともに、使い勝手に優れる画面操作用治具を提供することにある。
以上の技術的問題点に鑑み、本発明の目的は、ワンタッチで貼着、脱着可能であるとともに、貼着したままで目立たず邪魔にならない一方、ファッション性も兼備することが可能な画面操作用治具を提供することにある。
【課題を解決するための手段】
【０００７】
上記課題を達成するために、本発明の画面操作用治具は、
タッチパネルの画面に対する物理的接触を介して操作するための画面操作用導電性突起部と、指に装着するための装着部とを有し、該画面操作用突起部は、装着部の表面から突起するように設けられ、画面に対する物理的接触により操作するに十分な硬さを有する、構成としている。
【０００８】
以上の構成を有する画面操作用治具によれば、従来、指でタッチパネルの画面を操作する場合、特に指の太い男性の場合、ミスタッチをしたり等誤操作を起こしがちであったところ、あるいは乾燥指の持ち主の場合、操作不能な場面を生じることがあったところ、装着部を通じて簡便に指に装着することが可能であるとともに、指先より細いが、画面に対する物理的接触により操作するに十分な硬さを有する画面操作用導電性突起部を通じて画面に触れることにより、安価で手軽に画面の操作性向上が可能であるとともに、一方、従来、タッチペンで画面を操作する場合、タッチペンは指と一体ではなく、操作に熟練性を有するとともに、たとえばスマートフォンを持った手でタッチペンを操作することは困難であり、片手で操作することが難しかったところ、たとえば、タッチパネルの画面を有する電子機器を持った手の指で片手で画面の操作が可能であるとともに、ネール装飾をした女性でも指の腹に装着することにより、指の動きと一体的な操作が可能であり、使い勝手に優れ、他の作業との連携の良好性がある。
【０００９】
また、前記画面操作用治具は、画面操作用シールであり、前記装着部は、指に貼り付けるための貼付部を有し、該貼付部は、画面操作用突起部と反対側に設けられるのがよい。
さらに、前記貼付部は、指の腹に貼り付けるのに十分な広さを有する付着面を備えたフィルム状であり、前記画面操作用突起部は、前記フィルムの前記付着面と反対側の面から突起するように設けられ、前記画面操作用突起部の突起高さおよび太さはそれぞれ、タッチパネルの画面に対する物理的接触により操作することが可能な所定高さおよび所定太さを有するのがよい。
さらにまた、前記装着部は、指に嵌めるためのリング状本体部を有し、前記画面操作用突起部は、前記リング状本体部の外周面から突起するように設けられるのがよい。
加えて、前記リング状本体部には、前記画面操作用突起部と反対側に、装飾部が設けられるのでもよい。
【００１０】
さらに、前記貼付部は、直径５ミリないし１０ミリの円形であり、その中心部に前記画面操作用突起部が設けられるのがよい。
さらにまた、前記付着面は、繰り返し貼着および脱着可能なシールであるのがよい。
加えて、前記画面操作用突起部は、前記表面に対して直交するように設けられ、前記所定高さは、２ミリないし３ミリ、前記所定太さは、２ミリないし３ミリであるのがよい。
さらに、前記画面操作用治具は、一体成形の中実の樹脂製であるのがよい。
さらにまた、前記画面操作用突起部は、ほぼ円柱状で、先端部は丸みを有するのがよい。
加えて、前記画面操作用突起部は、有機導電性繊維を編み込んで形成されるのでもよい。
また、前記画面操作用突起部は、根元に向かって太くなるようなテーパが付されているのがよい。
【００１１】
上記課題を達成するために、本発明の画面の操作方法は、
操作すべきタッチパネルの画面を有する電子機器を、画面を上向きにして片手の手の平で支えるように持ち、その片手の親指の腹に請求項１ないし請求項１２のいずれか１項に記載の画面操作用治具を装着して、画面操作用治具の前記画面操作用突起部により片手で画面を操作する、構成としている。
【００１２】
さらに、画面を操作しない間、前記画面操作用シールを操作すべき画面を有する電子機器の表面に貼り付けることにより、前記画面操作用シールを保管するのがよい。
さらにまた、画面を操作しない間、前記リング状本体部を操作すべき画面を有する電子機器にフックすることにより、前記画面操作用治具を保管するのでもよい。
加えて、前記画面操作用シールを親指の腹に貼り付け、あるいは前記リング状本体部２０を親指に嵌めるとともに、同じ手の人さし指の腹に前記画面操作用シールを貼り付け、あるいは前記リング状本体部を人さし指に嵌めることにより、画面を摘まむピンチ操作を行うのがよい。
さらに、前記電子機器は、携帯電話および／またはスマートフォンおよび／またはタブレットであるのがよい。
【発明を実施するための最良の形態】
【００１３】
操作すべき画面を有する電子機器として、携帯電話、スマートフォン、あるいはタブレットを例として、本発明に係る画面操作用シール１０の第１実施形態を図面を参照しながら、以下に詳細に説明する。
前提として、電子機器の画面には、従来既知のディスプレイ（図示せず）、それに重ねてタッチパネル（図示せず）が設けられ、ディスプレイは、たとえば液晶ディスプレイであり、一方、タッチパネルは、従来既知のいわゆる静電容量方式であり、静電容量（電荷）の変化をセンサーで感知することにより、タッチした位置を検出するものであり、図示は省略するが、表面型静電容量方式であれば、ガラス基板の上に透明電極膜（導電層）を敷き、表面に保護カバーを重ねた構造であり、一方投影型静電容量方式であれば、演算処理ＩＣを搭載した基板層の上に、特定のパターンで大量に並べた透明電極層を配置し、表面にはガラスやプラスチックなどの絶縁カバーを重ねた構造である。
いずれの場合でも、検出されたタッチパネルの位置情報を操作信号として制御部（図示せず）に入力するようにされ、この制御部に接続されたディスプレイが各種情報を表示するようにしている。
図１に示すように、画面操作用治具を構成する画面操作用シール１０は、導電性材料からなり、タッチパネルの画面に対する物理的接触により操作するための画面操作用突起部１２と、指に装着するための装着部として指に貼り付けるための貼付部１４とを有し、画面操作用突起部１２は、画面Ｚに対する物理的接触により操作するに十分な硬さを有し、貼付部１４は、画面操作用突起部１２と反対側に設けられる。
【００１４】
画面操作用シール１０は、一体成形の中実の樹脂製であり、樹脂は、導電性樹脂を採用する。導電性樹脂としては、タッチパネルの画面自体にも採用される、たとえば、ポリアセチレン系、ポリチオフェン系、ポリアニリン系、ポリピロール系でよい。
変形例として、画面操作用突起部１２は、有機導電性繊維を編み込んで形成されるのでもよい。あるいは、画面操作用突起部１２は、突起部の内部に中空部を設け、これにより画面操作に必要な硬度を調整してもよい。
【００１５】
図２に示すように、貼付部１４は、指Ｆの腹に貼り付けるのに十分な広さを有する付着面１６を備えたフィルム状であり、画面操作用突起部１２は、フィルムの付着面１６と反対側の面１８から突起するように設けられ、画面操作用突起部１２の突起高さＨおよび太さ（径）Ｄ１はそれぞれ、タッチパネルの画面Ｚに対する物理的接触により操作することが可能な所定高さおよび所定太さを有する。
より具体的には、画面操作用突起部１２は、付着面１６に対して直交するように設けられ、所定高さＨは、２ミリないし３ミリ、所定太さＤ１は、２ミリないし３ミリであるのが好ましい。一方、貼付部１４は、直径５ミリないし１０ミリの円形であり、その中心部に突起部１２が設けられる。
【００１６】
所定高さＨおよび所定太さＤ１は、突起部の材質が有する硬さとの関係で、画面の操作性を確保する観点から定めればよいが、ユーザが画面操作用シール１０を用いて画面を操作する際、画面操作用シール１０自体はユーザの指に隠れて見えないこともあり、画面に接触する際、画面操作用突起部１２が折れ曲がって、画面上の所望の位置を操作できずにミスタッチすることのないように定めればよい。
【００１７】
画面操作用突起部１２は、ほぼ円柱状で、先端部は丸みを有する。丸みの程度は、画面の操作性を考慮して決めればよい。変形例として、画面操作用突起部１２は、反対側の面１８に向かって、すなわち根元に向かって太くなるようなテーパが付されていてもよい。
この場合、画面操作用突起部１２の画面Ｚに対する接地幅ｗは、画面を操作するのに十分な幅である必要があり、たとえば、約２ミリないし１０ミリである。
付着面１６は、繰り返し貼着および脱着可能なシールであり、従来既知の粘着性のシールを用いてもよい。これにより。画面を操作しない場合には、携帯画面付近に画面操作用シール１０を貼り付けておき、保管させることも可能であり、場合により、冬場において、手袋の指の腹に相当する位置に貼り付けることも可能である。
【００１８】
以上の構成を有する画面操作用シール１０について、その作用、すなわち画面操作用シール１０を用いた画面の操作方法を説明する。
まず、図３に示すように、操作すべきタッチパネルの画面Ｚを有する電子機器を、画面Ｚを上向きして片手の手の平で支えるように持ち、その片手の親指Ｆおよび人さし指Ｆそれぞれの腹に画面操作用シール１０を貼り付ける。
【００１９】
次いで、図４に示すように、画面操作用シール１０の画面操作用突起部１２により片手で画面Ｚを操作する。
たとえば、親指あるいは人さし指Ｆに貼り付けた画面操作用シール１０を用いて、タップ操作、ロングタッチ操作、ドラッグ、あるいはフリック操作を行ったり、親指および人さし指Ｆに貼り付けた画面操作用シール１０の両方を用いて、２本の指で画面を摘まむ（開く）ピンチ操作を行ったりする。
なお、画面Ｚを操作しない間、画面操作用シール１０を操作すべき画面Ｚを有する電子機器の表面に貼り付けることにより、画面操作用シール１０を保管してもよい。これにより、タッチペンに比べて小型で目立たない画面操作用シール１０をなくす恐れを低減することが可能である。
【００２０】
以上の構成を有する画面操作用シール１０によれば、従来、指でタッチパネルの画面Ｚを操作する場合、特に指の太い男性の場合、ミスタッチをしたり等誤操作を起こしがちであったところ、あるいは乾燥指の持ち主の場合、操作不能な場面を生じることがあったところ、貼付部１４を通じて簡便に指に貼り付けることが可能であるとともに、指先より細いが、画面Ｚに対する物理的接触により操作するに十分な硬さを有する画面操作用突起部１２を通じて画面Ｚに触れることにより、安価で手軽に画面Ｚの操作性向上が可能であるとともに、一方、従来、タッチペンで画面Ｚを操作する場合、タッチペンは指と一体ではなく、操作に熟練性を有するとともに、たとえばスマートフォンを持った手でタッチペンを操作することは困難であり、片手で操作することが難しかったところ、たとえば、タッチパネルの画面Ｚを有する電子機器を持った手の指で片手で画面Ｚの操作が可能であるとともに、ネール装飾をした女性でも指の腹に貼り付けることにより、指の動きと一体的な操作が可能であり、使い勝手に優れる。
また、指で画面Ｚを直接触れないので、特に多汗のユーザの場合、指紋や油により画面Ｚを汚すこともない。
【００２１】
以下に、本発明の第２実施形態について、図５を参照しながら説明する。以下の説明において、第１実施形態と同様な構成要素については、同様な参照番号を付することによりその説明は省略し、以下では、本実施形態の特徴部分について詳細に説明する。
本実施形態の特徴部分は、貼付部１４の全体形状にあり、第１実施形態においては、貼付部１４は、円形であったが、本実施形態においては、ハート形としている。
ハート形の大きさは、第１実施形態と同様に、指の腹に貼り付けることが可能な大きさであるが、第１実施形態と異なり、画面操作用シール１０の外観を向上させることにより、ファッショングッズとして用いることも可能であるとともに、第１実施形態と異なり、尖部を有することから、この尖部を利用することにより、画面操作用シール１０を指の腹から剥がしやすくしている。なお、画面操作用シール１０の外観をさらに向上させるために、色彩を施し、単色のみならず、複数色を施すことにより、模様的なデザイン性も備えることが可能である。
【００２２】
以下に、本発明の第３実施形態について、図６を参照しながら説明する。以下の説明において、第１実施形態と同様な構成要素については、同様な参照番号を付することによりその説明は省略し、以下では、本実施形態の特徴部分について詳細に説明する。
本実施形態の特徴部分は、貼付部１４の全体形状にあり、第１実施形態においては、貼付部１４は、円形であったが、本実施形態においては、星形としている。
星形の大きさは、第２実施形態と同様に、指の腹に貼り付けることが可能な大きさであるが、第１実施形態と異なり、画面操作用シール１０の外観を向上させることにより、ファッショングッズとして用いることも可能であるとともに、第１実施形態と異なり、尖部を有することから、また第２実施形態と異なり、尖部を複数有することから、この尖部を利用することにより、画面操作用シール１０を指の腹から剥がしやすくしている。
【００２３】
次に、本発明の第４の実施形態を説明する。以下の実施形態においては、同様な要素、部品には、同様な参照番号を付することによりその説明は省略し、以下では、第４の実施形態の特徴部について詳細に説明する。
本実施形態の特徴は、画面操作用治具１０の指への装着形態にあり、第１実施形態ないし第３実施形態においては、シール状として指の腹面に貼り付ける形態としたが、本実施形態においては、リング状として、指輪のように、たとえば、親指あるいは人差し指の第１関節までの部分に画面操作用治具１０を嵌め込むタイプとしている。
【００２４】
より詳細には、図７および図８に示すように、画面操作用治具１０は、円形開口１９を有するリング状本体部２０と、リング状本体部２０の外周面２２に設けられた画面操作用突起部１２とを有し、リング状本体部２０の径Ｄは、どの指のどこまで嵌めるかに応じて決められ、リング状本体部２０の厚み t および幅Ｗは、突起部の根本部の径Ｄ１に応じて定めればよい。たとえば、画面操作用治具１０を人差し指の第１関節までの部分に嵌め込み、Ｄ１を４ミリ前後とする場合には、Ｄは、５ミリないし２５ミリ、t は、０．５ミリないし３ミリ、Ｗは、４ミリないし３０ミリが好ましい。なお、画面操作用突起部１２については、第１実施形態と同様であり、画面操作用突起部１２の高さ、先端の形状は、操作用画面Ｚにおいて操作に要求される最小の接地幅ｗに応じて、画面操作用治具１０の材質、特に硬度に鑑み、適宜決定すればよい。なお、図８において、画面操作用治具１０は、爪にかからない第１関節の位置に近い位置に装着しているが、それに限定されず、爪にかかる位置に装着してもよい。
このようなタイプの画面操作用治具１０によれば、第１実施形態のそれに比べ、指への装着に関し、貼り付ける必要なく、嵌め込むだけであり、貼付け部１４が不要であることから、低コストが実現可能であるとともに、第１実施形態においては何回かの繰り返し使用により貼付け部１４のシール性が弱まり、使い捨てとなるのに対して、このような使い捨てをすることなく、長期間使用することが可能である。
【００２５】
さらに、第１実施形態においては、画面操作用治具１０自体を指の腹面に貼り付けるタイプであることから、特に画面操作中には、画面操作用治具１０が指に隠れてしまうのに対して、本実施形態においては、リング状タイプであることから、たとえば、リング状本体部２０の画面操作用突起部１２と反対側の部分に、装飾部（図示せず）を設けることにより、画面操作中であっても、指に隠れることなくファッション性を具備することが可能であり、リング状本体部２０に対しても、通常の指輪のように、デザインを施し、美観性を高めてもよい。
なお、装飾部には、キャラクターを立体化することにより、ノベルティ商品として活用することも有効であり、装飾部とリング状本体部２０と一体に形成しても、脱着可能に別々に形成してもよい。
【００２６】
以上、本発明の実施形態を詳細に説明したが、本発明の範囲から逸脱しない範囲内において、当業者であれば、種々の修正あるいは変更が可能である。
たとえば、本実施形態において、画面操作用シール１０で操作する画面を有する機器を携帯電話、スマートフォン、タブレットとして説明したが、それに限定されることなく、携帯情報端末（ＰＤＡ、ＵＭＰＣ）あるいは圧力感知式画面（ゲーム機等）でもよく、携帯用電子機器に限定されることもなく、たとえば、制御用画面が小さく指、タッチペンによる操作が困難な機器を画面操作により制御する場合にも有効である。
【００２７】
たとえば、本実施形態において、指に直接貼り付けるものとして説明したが、それに限定されることなく、タッチパネルのタイプによっては、たとえば冬場には、手袋をした状態で、指の腹に相当する手袋の外表面に画面操作用シールを貼り付けて使用してもよい。
たとえば、本実施形態において、導電性材料として、樹脂を採用したが、それに限定されることなく、画面操作可能な硬さを具備可能な材料である限り、たとえば導電性シリコンでもよい。
たとえば、第４実施形態において、リング状本体部２０に対して画面操作用突起部１２を単一に設ける場合を説明したが、それに限定されることなく、画面の大きさに応じて画面操作用突起部１２を複数設けてもよく、その場合、画面操作用突起部１２をリング状本体部２０の周方向に間隔を隔てて複数設けることにより、単にリング状本体部２０を指に嵌めたまま回転させることにより、所望の画面操作用突起部１２を使いやすい位置に位置決めすることが可能であり、あるいはリング状本体部２０の幅ｔを確保することによりサック状として、サックの長手方向に間隔を隔てて画面操作用突起部１２を複数設けてもよい。
たとえば、本実施形態において、画面操作用治具を導電性樹脂の一体成形品として説明したが、それに限定されることなく、たとえば、画面操作用突起部１２のみを導電性材料としてもよく、この場合、第１実施形態ないし第３実施形態において、画面操作用突起部１２を貼付け部１４と別体としてもよく、第４実施形態において、画面操作用突起部１２をリング状本体部２０と別体としてもよい。
【図面の簡単な説明】
【００２８】
【図１】本発明の第１実施形態に係る画面操作用シールの斜視図である。
【図２】本発明の第１実施形態に係る画面操作用シールの断面図である。
【図３】本発明の第１実施形態に係る画面操作用シールをユーザの指Ｆの腹に装着した状況を示す概略図である。
【図４】本発明の第１実施形態に係る画面操作用シールにより画面Ｚを操作する状況を示す概略図である。
【図５】本発明の第２実施形態に係る画面操作用シールの斜視図である。
【図６】本発明の第３実施形態に係る画面操作用シールの斜視図である。
【図７】本発明の第４実施形態に係る画面操作用治具の斜視図である。
【図８】本発明の第４実施形態に係る画面操作用治具の斜視図である。
【符号の説明】
【００２９】
Ｚ  画面
Ｆ  指
Ｄ１  突起部の径
Ｄ２  付着面の径
Ｈ    突起部の高さ
Ｔ    貼付け部の厚み
Ｗ    リング本体部の幅
ｔ    リング本体部の厚み
ｗ    画面に対する接地幅
１０  画面操作用シール
１２  画面操作用突起部
１３  装着部
１４  貼付部
１６  付着面
１８  反対側の面
１９  円形開口
２０  リング状本体部
２２  外周面
【図１】
2013239140.tif 000003
【図２】
2013239140.tif 000004
【図３】
2013239140.tif 000005
【図４】
2013239140.tif 000006
【図５】
2013239140.tif 000007
【図６】
2013239140.tif 000008
【図７】
2013239140.tif 000009
【図８】
2013239140.tif 000010
【手続補正書】
【提出日】平成24年12月24日(2012.12.24)
【手続補正１】
【補正対象書類名】特許請求の範囲
【補正対象項目名】全文
【補正方法】変更
【補正の内容】
【特許請求の範囲】
【請求項１】
画面操作用シールであって、タッチパネルの画面に対する物理的接触を介して操作するための画面操作用導電性突起部と、指に装着するための装着部とを有し、
前記装着部は、指に貼り付けるための貼付部を有し、該貼付部は、画面操作用突起部と反対側に設けられ、指の腹だけでなく、手袋をした状態で、指の腹に相当する手袋の外表面にも貼り付けるのに十分な広さを有する付着面を備えたフィルム状であり、
前記画面操作用突起部は、画面に対する物理的接触により操作するに十分な硬さを有し、前記フィルムの前記付着面と反対側の面から突起するように設けられ、前記画面操作用突起部の突起高さおよび太さはそれぞれ、タッチパネルの画面に対する物理的接触により操作することが可能な所定高さおよび所定太さを有する、ことを特徴とする画面操作用治具。
【請求項２】
前記貼付部は、直径５ミリないし１０ミリの円形であり、その中心部に前記画面操作用突起部が設けられる、請求項１に記載の画面操作用治具。
【請求項３】
前記付着面は、繰り返し貼着および脱着可能なシールである、請求項２に記載の画面操作用治具。
【請求項４】
前記画面操作用突起部は、前記表面に対して直交するように設けられ、前記所定高さは、２ミリないし３ミリ、前記所定太さは、２ミリないし３ミリである、請求項１ないし請求項３のいずれか１項に記載の画面操作用治具。
【請求項５】
前記画面操作用治具は、一体成形の中実の樹脂製である、請求項１ないし請求項３のいずれか１項に記載の画面操作用治具。
【請求項６】
前記画面操作用突起部は、ほぼ円柱状で、先端部は丸みを有する、請求項１ないし請求項３のいずれか１項に記載の画面操作用治具。
【請求項７】
前記画面操作用突起部は、有機導電性繊維を編み込んで形成される、請求項１ないし請求項３のいずれか１項に記載の画面操作用治具。
【請求項８】
前記画面操作用突起部は、根元に向かって太くなるようなテーパが付されている請求項１に記載の画面操作用治具。
【請求項９】
操作すべきタッチパネルの画面を有する電子機器を、画面を上向きにして片手の手の平で支えるように持ち、その片手の親指の腹に請求項１ないし請求項８のいずれか１項に記載の画面操作用治具を装着して、画面操作用治具の前記画面操作用突起部により片手で画面を操作することを特徴とする画面の操作方法。
【請求項１０】
画面を操作しない間、前記画面操作用シールを操作すべき画面を有する電子機器の表面に貼り付けることにより、前記画面操作用シールを保管する、請求項９に記載の画面の操作方法。
【請求項１１】
画面を操作しない間、前記リング状本体部を操作すべき画面を有する電子機器にフックすることにより、前記画面操作用治具を保管する、請求項９に記載の画面の操作方法。
【請求項１２】
前記画面操作用シールを親指の腹に貼り付け、あるいは前記リング状本体部を親指に嵌めるとともに、同じ手の人さし指の腹に前記画面操作用シールを貼り付け、あるいは前記リング状本体部を人さし指に嵌めることにより、画面を摘まむピンチ操作を行う、請求項９に記載の画面の操作方法。
【請求項１３】
前記電子機器は、携帯電話および／またはスマートフォンおよび／またはタブレットである請求項９ないし請求項１２のいずれか１項に記載の画面の操作方法。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
画面操作用シールであって、タッチパネルの画面に対する物理的接触を介して操作するための画面操作用導電性突起部と、指に装着するための装着部とを有し、
前記装着部は、指に貼り付けるための貼付部を有し、該貼付部は、画面操作用突起部と反対側に設けられ、指の腹だけでなく、手袋をした状態で、指の腹に相当する手袋の外表面にも貼り付けるのに十分な広さを有する付着面を備えたフィルム状であり、
前記画面操作用突起部は、画面に対する物理的接触により操作するに十分な硬さを有し、前記フィルムの前記付着面と反対側の面から突起するように設けられ、前記画面操作用突起部の突起高さおよび太さはそれぞれ、タッチパネルの画面に対する物理的接触により操作することが可能な所定高さおよび所定太さを有する、ことを特徴とする画面操作用治具。
【請求項２】
前記付着面は、繰り返し貼着および脱着可能なシールである、請求項１に記載の画面操作用治具。
【請求項３】
操作すべきタッチパネルの画面を有する携帯電話および／またはスマートフォンおよび／またはタブレットを、画面を上向きにして片手の手の平で支えるように持ち、その片手の親指の腹に請求項１または請求項２に記載の画面操作用治具を装着して、画面操作用治具の前記画面操作用突起部により片手で画面を操作することを特徴とする画面の操作方法。